(57)【要約】【課題】バックルを使用せずに着脱可能な接続部を有する装身具を提供する。【解決手段】帯状の第一片２と第二片３との接続部を有する装身具１である。第一片２および第二片３には、それぞれ長手方向に離隔して、複数の係合部４，５が設けられている。第一片２の各係合部４は、第一片２の先端部２ａから基端側へ行くに従って、第一片２の幅方向両側に互い違いに出現するように形成されている。第二片３の各係合部５は、第二片３の先端部３ａから基端側へ行くに従って、第二片３の幅方向両側に互い違いに出現するように形成されている。第一片２および第二片３の各係合部４，５は、幅方向の一端辺Ｗ１または他端辺Ｗ２から幅方向内側へ向けて切込みまたは切欠きを有する形状とされる。第一片２と第二片３とは、複数の係合部４，５同士がかみ合わされて、着脱可能に接続される。【選択図】図１
0003231797.tif 000002
【実用新案登録請求の範囲】
【請求項１】
帯状の第一片と第二片との接続部を有する装身具であって、
第一片および第二片には、それぞれ長手方向に離隔して、複数の係合部が設けられており、
第一片の各係合部は、第一片の先端部から基端側へ行くに従って、第一片の幅方向両側に互い違いに出現するように形成されており、
第二片の各係合部は、第二片の先端部から基端側へ行くに従って、第二片の幅方向両側に互い違いに出現するように形成されており、
第一片および第二片の各係合部は、幅方向の一端辺または他端辺から幅方向内側へ向けて切込みまたは切欠きを有する形状とされ、
第一片と第二片とは、前記複数の係合部同士がかみ合わされて、着脱可能に接続される
ことを特徴とする装身具。
【請求項２】
第一片および第二片には、それぞれ長手方向に離隔して、三以上の奇数個の係合部が設けられており、
第一片の各係合部は、第一片の先端部から基端側へ行くに従って、第一片の幅方向の一端辺側、他端辺側、一端辺側となる順序で、第一片の幅方向両側に互い違いに出現するように形成されており、
第二片の各係合部は、第二片の先端部から基端側へ行くに従って、第二片の幅方向の他端辺側、一端辺側、他端辺側となる順序で、第二片の幅方向両側に互い違いに出現するように形成されており、
第一片と第二片とは、少なくとも三つの係合部同士がかみ合わされて、着脱可能に接続される
ことを特徴とする請求項１に記載の装身具。
【請求項３】
第一片の先端部と第二片の先端部とを突き合せた状態において、前記各係合部が点対称に配置されるように、前記各片に前記係合部が設けられる
ことを特徴とする請求項２に記載の装身具。
【請求項４】
第一片および第二片の各係合部は、前記各片の幅方向中央部に丸穴が形成されると共に、この丸穴と連通して前記切込みまたは前記切欠きが形成されてなる
ことを特徴とする請求項１〜３のいずれか１項に記載の装身具。
【請求項５】
前記丸穴の直径は、かみ合わされる第一片または第二片の厚さの１〜２倍とされる
ことを特徴とする請求項４に記載の装身具。
【請求項６】
隣接する前記丸穴の中心間距離について、前記第一片の先端側から基端側へ向けて順次出現する前記中心間距離は、それぞれ、前記第二片の基端側から先端側へ向けて順次出現する前記中心間距離と対応した寸法とされており、
前記各片に順次出現する前記中心間距離同士は、一部または全部が、互いに同じ寸法か、異なった寸法とされる
ことを特徴とする請求項４または請求項５に記載の装身具。
【請求項７】
前記各片に順次出現する前記中心間距離同士は、全部が互いに同じ寸法とされることで、前記各片には、前記丸穴が等間隔に配置される
ことを特徴とする請求項６に記載の装身具。
【請求項８】
前記丸穴に代えて、その他の形状の中央穴または中央切込が形成される
ことを特徴とする請求項４〜７のいずれか１項に記載の装身具。
【請求項９】
第一片に形成される係合部は、最も先端側に配置される係合部が、第一片の幅方向中央部から幅方向外側へ行くに従って基端側へ傾斜する切込みとされる一方、それ以外の係合部が、第一片の幅方向中央部から幅方向外側へ行くに従って拡がる切欠きとされ、
第二片に形成される係合部は、最も先端側に配置される係合部が、第二片の幅方向中央部から幅方向外側へ行くに従って基端側へ傾斜する切込みとされる一方、それ以外の係合部が、第二片の幅方向中央部から幅方向外側へ行くに従って拡がる切欠きとされる
ことを特徴とする請求項１〜８のいずれか１項に記載の装身具。
【請求項１０】
第一片に形成される係合部は、最も先端側に配置される係合部が、第一片の幅方向中央部から幅方向外側へ行くに従って基端側へ傾斜する切込みとされる一方、それ以外の係合部が、第一片の幅方向中央部から幅方向外側へ延出する切込みとされ、
第二片に形成される係合部は、最も先端側に配置される係合部が、第二片の幅方向中央部から幅方向外側へ行くに従って基端側へ傾斜する切込みとされる一方、それ以外の係合部が、第二片の幅方向中央部から幅方向外側へ延出する切込みとされる
ことを特徴とする請求項１〜８のいずれか１項に記載の装身具。
【請求項１１】
前記装身具は、ベルト、ブレスレット、または腕時計のバンドであり、
このベルト、ブレスレットまたはバンドは、一端部が前記第一片とされる一方、他端部が前記第二片とされる
ことを特徴とする請求項１〜１０のいずれか１項に記載の装身具。
【請求項１２】
前記装身具は、鞄であり、
この鞄の手紐は、前記第一片と前記第二片とを介して接続される
ことを特徴とする請求項１〜１０のいずれか１項に記載の装身具。
【考案の詳細な説明】
【技術分野】
【０００１】
本考案は、ベルトやブレスレットなどの装身具に関するものである。
【背景技術】
【０００２】
従来、装身具としてのベルト、ブレスレット、腕時計のバンドなどは、帯状片同士の接続に、バックルのような金具が用いられている。
【０００３】
しかしながら、バックルを用いた場合、バックルの部分が硬質のため、腰や腕（手首）など、装身具が装着される箇所の身体形状に馴染みにくい。また、バックルを固定する関係上、素材に強度が要求され、比較的硬質の素材しか使用できず、その点でも腰や腕などの形状に沿いにくい。さらに、バックルが金属製のため、金属アレルギーの人には使用できない。
【考案の概要】
【考案が解決しようとする課題】
【０００４】
本考案が解決しようとする課題は、バックルを使用せずに着脱可能な接続部を有する装身具を提供することにある。
【課題を解決するための手段】
【０００５】
本考案は、前記課題を解決するためになされたもので、請求項１に記載の考案は、帯状の第一片と第二片との接続部を有する装身具であって、第一片および第二片には、それぞれ長手方向に離隔して、複数の係合部が設けられており、第一片の各係合部は、第一片の先端部から基端側へ行くに従って、第一片の幅方向両側に互い違いに出現するように形成されており、第二片の各係合部は、第二片の先端部から基端側へ行くに従って、第二片の幅方向両側に互い違いに出現するように形成されており、第一片および第二片の各係合部は、幅方向の一端辺または他端辺から幅方向内側へ向けて切込みまたは切欠きを有する形状とされ、第一片と第二片とは、前記複数の係合部同士がかみ合わされて、着脱可能に接続されることを特徴とする装身具である。
【０００６】
請求項１に記載の考案によれば、帯状の第一片と第二片には、その先端部から基端側へ行くに従って、幅方向両側に互い違いに出現するように、切込みまたは切欠きを有する係合部が設けられ、これら各片の係合部同士をかみ合わせることで、第一片と第二片とを着脱可能に接続することができる。そのため、バックルを使用することなく、第一片と第二片とを着脱可能に接続することができる。
【０００７】
請求項２に記載の考案は、第一片および第二片には、それぞれ長手方向に離隔して、三以上の奇数個の係合部が設けられており、第一片の各係合部は、第一片の先端部から基端側へ行くに従って、第一片の幅方向の一端辺側、他端辺側、一端辺側となる順序で、第一片の幅方向両側に互い違いに出現するように形成されており、第二片の各係合部は、第二片の先端部から基端側へ行くに従って、第二片の幅方向の他端辺側、一端辺側、他端辺側となる順序で、第二片の幅方向両側に互い違いに出現するように形成されており、第一片と第二片とは、少なくとも三つの係合部同士がかみ合わされて、着脱可能に接続されることを特徴とする請求項１に記載の装身具である。
【０００８】
請求項２に記載の考案によれば、第一片と第二片には、それぞれ幅方向両側に所定の順序で互い違いに出現するように、三以上の奇数個の係合部が設けられている。そして、第一片と第二片とは、少なくとも三つの係合部同士がかみ合わされて、着脱可能に接続される。この場合、第一片の先端部と第二片の先端部とは、接続部の表裏の内、同じ側に出現して接続されることになる。つまり、ベルト等の接続状態において、第一片の先端部がベルト等の裏側に配置されるのであれば、第二片の先端部も裏側に配置されることになる。これにより、装着時の安定性を増すと共に、デザイン的に優れた装身具を実現することができる。
【０００９】
請求項３に記載の考案は、第一片の先端部と第二片の先端部とを突き合せた状態において、前記各係合部が点対称に配置されるように、前記各片に前記係合部が設けられることを特徴とする請求項２に記載の装身具である。
【００１０】
請求項３に記載の考案によれば、第一片の先端部と第二片の先端部とを突き合せた状態において、点対称になるように各片に係合部を形成することで、各片の係合部の構成を共通化することができる。
【００１１】
請求項４に記載の考案は、第一片および第二片の各係合部は、前記各片の幅方向中央部に丸穴が形成されると共に、この丸穴と連通して前記切込みまたは前記切欠きが形成されてなることを特徴とする請求項１〜３のいずれか１項に記載の装身具である。
【００１２】
請求項４に記載の考案によれば、第一片および第二片の各係合部は、各片の幅方向中央部に丸穴を備える。そのため、幅方向片方の端辺からの切込みまたは切欠きは、その先端部に連接された丸穴（半径）の分だけ、幅方向中央部を超えて延出することになる。これにより、各片に多少の厚みがあっても、各片の係合部同士をかみ合わせる際、一方の片の幅方向中央部まで、他方の片の切込み等を確実に差し込むことができる。その他、切込みや切欠きの先端部に丸穴を形成しておけば、切込みや切欠きの先端部において、各片が裂けるのを防止することができる。
【００１３】
請求項５に記載の考案は、前記丸穴の直径は、かみ合わされる第一片または第二片の厚さの１〜２倍とされることを特徴とする請求項４に記載の装身具である。
【００１４】
請求項５に記載の考案によれば、各片の幅方向中央部に形成される丸穴の直径は、かみ合わされる片の厚さの１〜２倍とされるので、各片の厚さの影響を軽減して、両片の確実なかみ合わせを図ることができる。
【００１５】
請求項６に記載の考案は、隣接する前記丸穴の中心間距離について、前記第一片の先端側から基端側へ向けて順次出現する前記中心間距離は、それぞれ、前記第二片の基端側から先端側へ向けて順次出現する前記中心間距離と対応した寸法とされており、前記各片に順次出現する前記中心間距離同士は、一部または全部が、互いに同じ寸法か、異なった寸法とされることを特徴とする請求項４または請求項５に記載の装身具である。
【００１６】
請求項６に記載の考案によれば、第一片の先端側から基端側へ向けて順次出現する中心間距離を、それぞれ、第二片の基端側から先端側へ向けて順次出現する中心間距離と対応した寸法とすることで、第一片と第二片とのかみ合わせを確実に図ることができる。その際、丸穴のピッチは、等間隔でもよいし、等間隔でなくてもよい。
【００１７】
請求項７に記載の考案は、前記各片に順次出現する前記中心間距離同士は、全部が互いに同じ寸法とされることで、前記各片には、前記丸穴が等間隔に配置されることを特徴とする請求項６に記載の装身具である。
【００１８】
請求項７に記載の考案によれば、各片には丸穴を等間隔に形成することで、簡易な構成とすることができる。
【００１９】
請求項８に記載の考案は、前記丸穴に代えて、その他の形状の中央穴または中央切込が形成されることを特徴とする請求項４〜７のいずれか１項に記載の装身具である。
【００２０】
請求項８に記載の考案によれば、丸穴に代えて、その他の形状の穴または切込みを用いても、各片の厚みの影響を軽減して、両片をかみ合わせることができる。
【００２１】
請求項９に記載の考案は、第一片に形成される係合部は、最も先端側に配置される係合部が、第一片の幅方向中央部から幅方向外側へ行くに従って基端側へ傾斜する切込みとされる一方、それ以外の係合部が、第一片の幅方向中央部から幅方向外側へ行くに従って拡がる切欠きとされ、第二片に形成される係合部は、最も先端側に配置される係合部が、第二片の幅方向中央部から幅方向外側へ行くに従って基端側へ傾斜する切込みとされる一方、それ以外の係合部が、第二片の幅方向中央部から幅方向外側へ行くに従って拡がる切欠きとされることを特徴とする請求項１〜８のいずれか１項に記載の装身具である。
【００２２】
請求項９に記載の考案によれば、各片の先端側の係合部は、各片の幅方向中央部から幅方向外側へ行くに従って基端側へ傾斜した切込みされるので、両片を外れにくく接続することができる。また、その他の係合部は、各片の幅方向中央部から幅方向外側へ行くに従って拡がる切欠きとされるので、着脱作業が容易となる。また、接続状態で各片が傾斜して（螺旋状に）交互に出現することとなり、デザイン性を高めることができる。
【００２３】
請求項１０に記載の考案は、第一片に形成される係合部は、最も先端側に配置される係合部が、第一片の幅方向中央部から幅方向外側へ行くに従って基端側へ傾斜する切込みとされる一方、それ以外の係合部が、第一片の幅方向中央部から幅方向外側へ延出する切込みとされ、第二片に形成される係合部は、最も先端側に配置される係合部が、第二片の幅方向中央部から幅方向外側へ行くに従って基端側へ傾斜する切込みとされる一方、それ以外の係合部が、第二片の幅方向中央部から幅方向外側へ延出する切込みとされることを特徴とする請求項１〜８のいずれか１項に記載の装身具である。
【００２４】
請求項１０に記載の考案によれば、各片の先端側の係合部は、各片の幅方向中央部から幅方向外側へ行くに従って基端側へ傾斜した切込みとされるので、両片を外れにくく接続することができる。また、その他の係合部は、各片の幅方向中央部から幅方向外側へ延出する切込みとされるので、この点からも両片を外れにくく接続することができる。
【００２５】
請求項１１に記載の考案は、前記装身具は、ベルト、ブレスレット、または腕時計のバンドであり、このベルト、ブレスレットまたはバンドは、一端部が前記第一片とされる一方、他端部が前記第二片とされることを特徴とする請求項１〜１０のいずれか１項に記載の装身具である。
【００２６】
請求項１１に記載の考案によれば、第一片と第二片との接続構造を、ベルト、ブレスレット、または腕時計のバンドとして用いることができる。
【００２７】
さらに、請求項１２に記載の考案は、前記装身具は、鞄であり、この鞄の手紐は、前記第一片と前記第二片とを介して接続されることを特徴とする請求項１〜１０のいずれか１項に記載の装身具である。
【００２８】
請求項１２に記載の考案によれば、第一片と第二片との接続構造を、鞄の手紐に用いることができる。
【考案の効果】
【００２９】
本考案によれば、バックルを使用せずに着脱可能な接続部を有する装身具を実現することができる。
【図面の簡単な説明】
【００３０】
【図１】本考案の一実施例の装身具としてのブレスレットを示す概略図であり、直線状に展開した状態を示している。
【図２】図１の装身具の両端同士の接続部を示す図であり、（ａ）は接続前の状態、（ｂ）は接続後の状態を示している。
【図３】図１の装身具の使用状態（接続部の表側）を示す図であり、（ａ）は斜視図、（ｂ）は平面図である。
【図４】図１の装身具の使用状態（接続部の裏側）を示す図であり、（ａ）は斜視図、（ｂ）は平面図である。
【図５】図１の装身具の変形例を示す図であり、切欠きの端部にアールを付けた例を示している。
【図６】図１の装身具の変形例を示す図であり、五つの係合部を設けた例を示している。また、図２と同様に、第一片と第二片との接続部を示す図であり、（ａ）は接続前の状態、（ｂ）は接続後の状態を示している。
【図７】図１の装身具の変形例を示す図であり、三つの係合部を設けた例を示している。また、図２と同様に、第一片と第二片との接続部を示す図であり、（ａ）は接続前の状態、（ｂ）は接続後の状態を示している。
【図８】図１の装身具の変形例を示す図であり、四つの係合部を設けた例を示している。また、図２と同様に、第一片と第二片との接続部を示す図であり、（ａ）は接続前の状態、（ｂ）は接続後の状態を示している。
【考案を実施するための形態】
【００３１】
以下、本考案の具体的実施例を図面に基づいて詳細に説明する。
【００３２】
図１は、本考案の一実施例の装身具１としてのブレスレットを示す概略図であり、直線状に展開した状態を示している。また、図２は、図１の装身具１の両端同士の接続部を示す図であり、（ａ）は接続前の状態、（ｂ）は接続後の状態を示している。さらに、図３および図４は、図１の装身具１の使用状態（接続後の状態）を示す図であり、図３は接続部の表側、図４は接続部の裏側を示している。なお、図３および図４において、（ａ）は斜視図、（ｂ）は平面図である。
【００３３】
本実施例の装身具１は、手首に巻いて使用するブレスレットである。この装身具１は、図１に示すように、細長い帯状材から形成され、図３に示すように、使用時に略円状に巻かれて、両端部が着脱可能に接続される。帯状材の大きさは、特に限定されないが、本実施例では、長手寸法Ｌが約２５０ｍｍ、幅寸法Ｗが約２０ｍｍ、厚さが約２ｍｍとされている。
【００３４】
本実施例では、装身具１は牛革を用いて形成されるが、その他の天然皮革を用いることもできる。また、天然皮革に限らず、合成皮革の他、ポリ塩化ビニル（ＰＶＣ）のような合成樹脂や、樹脂加工された帆布などを用いることもできる。
【００３５】
装身具１は、図１の展開状態（長手方向を左右に配置した状態）において、長手方向の一方（図１の右側）に第一片２を備え、長手方向の他方（図１の左側）に第二片３を備える。これら各片２，３は、複数の係合部４，５を備えた帯状片である。端的にいえば、図１において、右半分を第一片２、左半分を第二片３ということもできる。
【００３６】
なお、図１において、帯状材の長手方向を、前記各片２，３の長手方向といい、帯状材の短手方向を、前記各片２，３の幅方向ということがある。そして、図１において、紙面と直交方向（帯状材の厚さ方向）を、前記各片２，３の厚さ方向とする。さらに、第一片２について、帯状材の一端側（図１の右側）を第一片２の先端側、それとは逆側（図１の左側）を第一片２の基端側とする。同様に、第二片３について、帯状材の他端側（図１の左側）を第二片３の先端側、それとは逆側（図１の右側）を第二片３の基端側とする。
【００３７】
図１において、紙面の表側をブレスレットの外面、紙面の裏側をブレスレットの裏面として、帯状材を略円状に丸めて、図２において二点鎖線で示すように、第一片２の先端部２ａに第二片３の先端部３ａを突き合せると、本実施例では、各片２，３の各係合部４（４ａ〜４ｅ），５（５ａ〜５ｅ）が点対称に配置される。そして、詳細は後述するが、各片２，３の各係合部４，５は、図２において実線で示すような対応関係で、互いにかみ合わされる。これにより、第一片２と第二片３とは、着脱可能に接続される。以下、第一片２と第二片３の各係合部４，５について、具体的に説明する。
【００３８】
第一片２および第二片３には、それぞれ長手方向に離隔して、複数の係合部４，５が設けられる。第一片２の係合部４の数は、第二片３の係合部５の数と対応している。各片２，３に形成される係合部４，５の数は、特に問わない（場合により偶数個でもよい）が、後述するように、三以上の奇数個とするのが好ましい。
【００３９】
本実施例では、各片２，３には、それぞれ五つの係合部４，５が形成される。具体的には、第一片２には、その先端側から基端側へ向けて、第一係合部４ａ、第二係合部４ｂ、第三係合部４ｃ、第四係合部４ｄ、第五係合部４ｅが形成される。また、第二片３にも、その先端側から基端側へ向けて、第一係合部５ａ、第二係合部５ｂ、第三係合部５ｃ、第四係合部５ｄ、第五係合部５ｅが形成される。各片２，３の各係合部４，５は、幅方向の一端辺Ｗ１または他端辺Ｗ２から幅方向内側へ向けて切込みまたは切欠きを有する形状とされる。
【００４０】
第一片２の各係合部４（４ａ〜４ｅ）は、第一片２の先端部２ａから基端側へ行くに従って、第一片２の幅方向両側に互い違いに出現するように形成されている。本実施例では、第一片２の各係合部４は、第一片２の先端部２ａから基端側へ行くに従って、第一片２の幅方向の一端辺Ｗ１側、他端辺Ｗ２側、一端辺Ｗ１側となる順序で、第一片２の幅方向両側に互い違いで交互に出現するように形成されている。
【００４１】
第二片３の各係合部５（５ａ〜５ｅ）は、第二片３の先端部３ａから基端側へ行くに従って、第二片３の幅方向両側に互い違いに出現するように形成されている。本実施例では、第二片３の各係合部５は、第二片３の先端部３ａから基端側へ行くに従って、第二片３の幅方向の他端辺Ｗ２側、一端辺Ｗ１側、他端辺Ｗ２側となる順序で、第二片３の幅方向両側に互い違いで交互に出現するように形成されている。
【００４２】
第一片２および第二片３の各係合部４，５は、各片２，３の幅方向中央部に丸穴６，７が形成されると共に、この丸穴６，７と連通して切込みまたは切欠きが形成されて構成される。
【００４３】
丸穴６，７について述べると、図１において、第一片２には、先端側から基端側へ向けて、第一穴６ａ、第二穴６ｂ、第三穴６ｃ、第四穴６ｄおよび第五穴６ｅが形成される一方、第二片３にも、先端側から基端側へ向けて、第一穴７ａ、第二穴７ｂ、第三穴７ｃ、第四穴７ｄおよび第五穴７ｅが形成される。これら各穴６（６ａ〜６ｅ），７（７ａ〜７ｅ）は、典型的には、互いに同一の大きさとされている。
【００４４】
丸穴６，７の直径は、かみ合わされる相手方の片の厚さを考慮して設定されるのがよい。具体的には、丸穴６，７の直径は、かみ合わされる第一片２または第二片３の厚さの１〜２倍とされるのがよい。本実施例では、装身具１を構成する帯状材（第一片２および第二片３）は、厚さが約２ｍｍとされる一方、それに形成される丸穴６，７の直径は約３ｍｍとされる。
【００４５】
隣接する丸穴６，７の中心間距離について、第一片２の先端側から基端側へ向けて順次出現する中心間距離Ｘ１〜Ｘ４は、それぞれ、第二片３の基端側から先端側へ向けて順次出現する中心間距離Ｙ４〜Ｙ１と対応した寸法とされる。すなわち、第一片２の第一穴６ａと第二穴６ｂとの中心間距離Ｘ１は、第二片３の第五穴７ｅと第四穴７ｄとの中心間距離Ｙ４に一致している（Ｘ１＝Ｙ４）。また、第一片２の第二穴６ｂと第三穴６ｃとの中心間距離Ｘ２は、第二片３の第四穴７ｄと第三穴７ｃとの中心間距離Ｙ３に一致し（Ｘ２＝Ｙ３）、第一片２の第三穴６ｃと第四穴６ｄとの中心間距離Ｘ３は、第二片３の第三穴７ｃと第二穴と７ｂの中心間距離Ｙ２に一致する（Ｘ３＝Ｙ２）。そして、第一片２の第四穴６ｄと第五穴６ｅとの中心間距離Ｘ４は、第二片３の第二穴７ｂと第一穴７ａとの中心間距離Ｙ１に一致する（Ｘ４＝Ｙ１）。
【００４６】
そして、各片２，３の中心間距離同士（たとえば、第一片２に出現する中心間距離Ｘ１〜Ｘ４同士）は、全てが、互いに同一であってもよいし、互いに異なってもよい。また、一部が、互いに同一であってもよいし、互いに異なってもよい。つまり、各片２，３において、丸穴６，７間の間隔Ｘ（Ｘ１〜Ｘ４），Ｙ（Ｙ１〜Ｙ４）は、等間隔でもよいし、そうでなくてもよい。本実施例では、各片２，３に順次出現する中心間距離Ｘ，Ｙ同士は、全部が互いに同一とされることで、各片２，３には、丸穴６，７が等間隔に配置される。
【００４７】
第一片２および第二片３の各係合部４，５は、丸穴６，７と連通して、切込みまたは切欠きが形成されて構成される。本実施例では、各片２，３には、最も先端側に配置される係合部４ａ，５ａが切込みとされる一方、それ以外の係合部４ｂ〜４ｅ，５ｂ〜５ｅは切欠きとされる。つまり、第一片２については、最も先端側の係合部４ａが、切断線（またはスリット）からなる切込みとされる一方、それ以外の係合部４ｂ〜４ｅが、所定に切除された切欠きとされる。同様に、第二片３については、最も先端側の係合部５ａが、切断線（またはスリット）からなる切込みとされる一方、それ以外の係合部５ｂ〜５ｅが、所定に切除された切欠きとされる。
【００４８】
図示例では、第一片２に形成される係合部４は、最も先端側に配置される係合部４ａが、第一片２の幅方向中央部（丸穴６ａ）から幅方向外側へ行くに従って基端側へ傾斜する切込みとされる一方、それ以外の係合部４ｂ〜４ｅが、第一片２の幅方向中央部（丸穴６ｂ〜６ｅ）から幅方向外側へ行くに従って拡がる略三角形状の切欠きとされる。図１において、各切欠きは、それに連接された丸穴６ｂ〜６ｅを通る線で且つ第一片２の幅方向となる線を中心線に、二等辺三角形状に形成されている。また、第一片２の各切欠きは、互いに同一の形状（大きさ）とされている。なお、切欠きと丸穴６ｂ〜６ｅとの接続部において、丸穴６ｂ〜６ｅは、その直径よりも短い寸法で、切欠きに開口されている。
【００４９】
一方、第二片３に形成される係合部５は、最も先端側に配置される係合部５ａが、第二片３の幅方向中央部（丸穴７ａ）から幅方向外側へ行くに従って基端側へ傾斜する切込みとされる一方、それ以外の係合部５ｂ〜５ｅが、第二片３の幅方向中央部（丸穴７ｂ〜７ｅ）から幅方向外側へ行くに従って拡がる略三角形状の切欠きとされる。図１において、各切欠きは、それが連接された丸穴７ｂ〜７ｅを通る線で且つ第二片３の幅方向となる線を中心線に、二等辺三角形状に形成されている。また、第二片３の各切欠きは、互いに同一の形状（大きさ）とされており、これは第一片２の各切欠きの形状（大きさ）とも対応している。なお、切欠きと丸穴７ｂ〜７ｅとの接続部において、丸穴７ｂ〜７ｅは、その直径よりも短い寸法で、切欠きに開口されている。
【００５０】
このような構成であるから、前述したとおり、図２の二点鎖線で示すように、第一片２の先端部に第二片３の先端部を突き合せると、本実施例では、各片２，３の各係合部４（４ａ〜４ｅ），５（５ａ〜５ｅ）が点対称に配置されることになる。つまり、図２において、二点鎖線で示される第二片３を、（突き合せ部を中心に）１８０度回転させると、第一片２に重なることになる。
【００５１】
以上のような構成の装身具１（ブレスレット）を使用するには、装身具１を円状に巻いて、第一片２と第二片３の各係合部４，５をかみ合わせればよい。具体的には、図２において実線で示すように、第一片２の第一係合部４ａと第二片３の第五係合部５ｅ、第一片２の第二係合部４ｂと第二片３の第四係合部５ｄ、第一片２の第三係合部４ｃと第二片３の第三係合部５ｃ、第一片２の第四係合部４ｄと第二片３の第二係合部５ｂ、第一片２の第五係合部４ｅと第二片３の第一係合部５ａ、をそれぞれかみ合わせる。言い換えれば、第一片２の係合部４の切欠き（または切込み）に、第二片３の係合部５の切欠き（または切込み）を差し込むようにして、各片２，３を順次に交差させていけばよい。
【００５２】
より具体的には、図示例の場合、第二片３の先端部（第一係合部５ａよりも先端側）が、第一片２の基端部（第五係合部４ｅよりも基端側）の裏面に重なるように配置される。また、第二片３の第一係合部５ａと第二係合部５ｂとの間が、第一片２の第四係合部４ｄと第五係合部４ｅとの間の表面に重なるように配置される。さらに、第二片３の第二係合部５ｂと第三係合部５ｃとの間が、第一片２の第三係合部４ｃと第四係合部４ｄとの間の裏面に重なるように配置される。以後、同様にして、第一片２と第二片３の各係合部４，５をかみ合わせながら、各片２，３を表裏交互に配置して、第一片２の先端部（第一係合部４ａよりも先端側）が、第二片３の基端部（第五係合部５ｅよりも基端側）の裏面に重なるように配置される。
【００５３】
このような接続方法によれば、ブレスレットの内側（裏面側）に、第一片２の先端部２ａと第二片３の先端部３ａとが配置されることになる。そして、その間において、各片２，３が傾斜して（螺旋状に）交互に出現することとなり、デザイン性を高めることができる。但し、これとは逆に、係合の仕方を表裏逆にして、ブレスレットの外側に、第一片２の先端部２ａと第二片３の先端部３ａとが露出するように、第一片２と第二片３とを接続することも可能である。
【００５４】
また、ここでは、第一片２と第二片３とは、全ての係合部４，５同士をかみ合わせたが、かみ合わせる係合部４，５の数を変更することで、ブレスレットの径を調整することができる。たとえば、第一片２の第三係合部４ｃと第二片３の第一係合部５ａ、第一片２の第二係合部４ｂと第二片３の第二係合部５ｂ、第一片２の第一係合部４ａと第二片３の第三係合部５ｃとを、それぞれかみ合わせてもよい。
【００５５】
本実施例の装身具１によれば、帯状の第一片２と第二片３には、その先端部から基端側へ行くに従って、幅方向両側に互い違いに出現するように、切込みまたは切欠きを有する係合部４，５が設けられ、これら各片２，３の係合部４，５同士をかみ合わせることで、第一片２と第二片３とを着脱可能に接続することができる。そのため、バックルを使用することなく、第一片２と第二片３とを着脱可能に接続することができる。バックルを使用しないので、身体形状に馴染みやすい。また、バックルを使用する場合には、バックルを固定する関係上、素材に強度が要求され、比較的硬質の素材しか使用できなかったが、本実施例の場合、比較的軟質の材料も使用可能となる。さらに、バックルを使用しないため、金属アレルギーの人にも利用できる。
【００５６】
また、第一片２および第二片３の各係合部４，５は、各片２，３の幅方向中央部に丸穴６，７を備える。そのため、幅方向片方の端辺からの切込みまたは切欠きは、その先端部に連接された丸穴（半径）６，７の分だけ、幅方向中央部を超えて延出することになる。これにより、各片２，３に多少の厚みがあっても、各片２，３の係合部４，５同士をかみ合わせる際、一方の片の幅方向中央部まで、他方の片の切込み等を確実に差し込むことができる。その他、切込みや切欠きの先端部に丸穴６，７を形成しておけば、切込みや切欠きの先端部において、各片２，３が裂けるのを防止することができる。
【００５７】
さらに、本実施例の装身具１によれば、各片２，３の先端側の係合部４ａ，５ａは、各片２，３の幅方向中央部から幅方向外側へ行くに従って基端側へ傾斜した切込みされるので、両片を外れにくく接続することができる。一方、その他の係合部４ｂ〜４ｅ，５ｂ〜５ｅは、各片２，３の幅方向中央部から幅方向外側へ行くに従って拡がる切欠きとされるので、着脱作業が容易となる。また、接続状態で各片２，３が傾斜して（螺旋状に）交互に出現することとなり、デザイン性を高めることができる。
【００５８】
次に、前記実施例の装身具１の変形例について説明する。以下で説明する変形例も、基本的には前記実施例と同様である。そのため、以下では、前記実施例と異なる点を中心に説明し、対応する箇所には同一の符号を付して説明する。
【００５９】
図５は、図１の装身具１の変形例１を示す図である。本変形例１では、各片２，３の切欠き（係合部４ｂ〜４ｅ，５ｂ〜５ｅ）は、各片２，３の幅方向外側の端部に、略円弧状にアールｒが付けられている。なお、図１および図５において、丸穴６（６ｂ〜６ｅ），７（７ｂ〜７ｅ）を頂点とした各切欠きの開き角度は、適宜に変更可能である。
【００６０】
図６は、図１の装身具１の変形例２を示す図であり、図２と対応した状態を示している。本変形例２では、各片２，３には、切欠きに代えて、切込みが形成されている。具体的には、第一片２に形成される係合部４ａ〜４ｅは、最も先端側に配置される係合部４ａが、第一片２の幅方向中央部から幅方向外側へ行くに従って基端側へ傾斜する切込みとされる一方、それ以外の係合部４ｂ〜４ｅが、第一片２の幅方向中央部から幅方向外側へ延出する切込み（図示例では幅方向に沿う切込み）とされる。また、第二片３に形成される係合部５ａ〜５ｅは、最も先端側に配置される係合部５ａが、第二片３の幅方向中央部から幅方向外側へ行くに従って基端側へ傾斜する切込みとされる一方、それ以外の係合部５ｂ〜５ｅが、第二片３の幅方向中央部から幅方向外側へ延出する切込み（図示例では幅方向に沿う切込み）とされる。この場合、両片３を一層外れにくく接続することができる。また、接続状態で各片２，３が幅方向に延出して交互に出現することとなり、前記実施例とはデザインを変えることができる。
【００６１】
ところで、各片２，３に形成される係合部４，５の数は、三以上の奇数個とするのが好ましい。その理由について説明する。
【００６２】
前述した図６は、図２と同様に、第一片２と第二片３との接続部を示す図であり、（ａ）は接続前の状態、（ｂ）は接続後の状態を示している。ここでは、各片２，３に五つの係合部４（４ａ〜４ｅ），５（５ａ〜５ｅ）を設けた例について示している。この場合、前記実施例と同様に、各片２，３の係合部４，５同士をかみ合わせると、第一片２の端部２ａと第二片３の端部３ａとが、それぞれ同じ側（図示例では裏側）に配置されることになる。これにより、前記実施例と同様に、デザイン性を保つことができる。また、各片２，３の両端部を裏側（身体側）にして使用すれば、使用時の外部への引っ掛かりを防止することができる。
【００６３】
図７は、図６の変形例を示す図であり、三つの係合部４（４ａ〜４ｃ），５（５ａ〜５ｃ）を設けた例を示している。この場合も、第一片２と第二片３の各係合部４，５を表裏同じ側（図示例では裏側）に配置して、第一片２と第二片３とをかみ合わせて接続することができる。
【００６４】
図８は、図６の変形例を示す図であり、四つの係合部４（４ａ〜４ｄ），５（５ａ〜５ｄ）を設けた例を示している。この場合も、第一片２と第二片３との各係合部４，５をかみ合わせて接続することができるが、各片２，３の端部２ａ，３ａを表裏同じ側に配置することができない。図示例の場合、第一片２の先端部２ａは裏面側に配置されるが、第二片３の先端部３ａは表面側に配置されている。
【００６５】
なお、図８の場合、第一片２の各係合部４（４ａ〜４ｄ）は、第一片２の先端部２ａから基端側へ行くに従って、第一片２の幅方向の他端辺Ｗ２側、一端辺Ｗ１側、他端辺Ｗ２側となる順序で、第一片２の幅方向両側に互い違いに出現するように形成されている。また、第二片３の各係合部５（５ａ〜５ｄ）は、第二片３の先端部から基端側へ行くに従って、第二片３の幅方向の他端辺Ｗ２側、一端辺Ｗ１側、他端辺Ｗ２側となる順序で、第二片３の幅方向両側に互い違いに出現するように形成されている。そして、第一片２の先端部と第二片３の先端部とを突き合せた状態において、各係合部４，５が（点対称ではなく）線対称に配置されるように、各片２，３に各係合部４，５が設けられている。
【００６６】
図６〜図８から明らかなとおり、第一片２の先端部２ａと第二片３の先端部３ａとを表裏同じ側に配置するには、三つ以上の奇数個の係合部４，５が必要となる。そこで、たとえば、係合部４，５は、各片２，３に、三つ、五つまたは七つ形成するのがよい。いずれの場合も、前記実施例と同様に、最も先端側に配置される係合部４ａ，５ａは、その片２，３の幅方向中央部から幅方向外側へ行くに従って基端側へ傾斜する切込みとされ、それ以外の係合部４ｂ〜４ｅ，５ｂ〜５ｅは、その片２，３の幅方向中央部から幅方向外側へ形成される切込みまたは切欠きとされるのがよい。
【００６７】
本考案の装身具１は、前記実施例（変形例を含む）の構成に限らず適宜変更可能である。特に、（ａ）帯状の第一片２と第二片３との接続部を有する装身具１であって、（ｂ）第一片２および第二片３には、それぞれ長手方向に離隔して、複数の係合部４，５が設けられており、（ｃ）第一片２の各係合部４は、第一片２の先端部２ａから基端側へ行くに従って、第一片２の幅方向両側に互い違いに出現するように形成されており、（ｄ）第二片３の各係合部５は、第二片３の先端部３ａから基端側へ行くに従って、第二片３の幅方向両側に互い違いに出現するように形成されており、（ｅ）第一片２および第二片３の各係合部４，５は、幅方向の一端辺Ｗ１または他端辺Ｗ２から幅方向内側へ向けて切込みまたは切欠きを有する形状とされ、（ｆ）第一片２と第二片３とは、前記複数の係合部４，５同士がかみ合わされて、着脱可能に接続されるのであれば、その他は適宜に変更可能である。
【００６８】
特に、前記実施例では、装身具１はブレスレットであるとして説明したが、本考案の装身具１はブレスレット以外の各種の装身具１にも同様に適用可能である。たとえば、大きさ（長さ）を変えることで、衣服用のベルトとしても利用可能である。その場合も、長手方向一端部に第一片２を、長手方向他端部に第二片３を設けて、着脱可能に説明可能とすればよい。各片２，３に形成する係合部４，５の構成は、前記実施例と同様であるから、説明を省略する。その際、前記実施例と同様に、複数形成された係合部４，５の内のどの係合部４，５をかみ合わせるかに応じて、ベルトの長さを調整可能とできる。
【００６９】
また、腕時計のバンドにも用いることができる。その場合、腕時計の時計本体を挟んで、一方に第一片２が設けられ、他方に第二片３が設けられ、各片２，３同士が着脱可能とされる。いわば、図１において、帯状片の長手方向中途部に時計本体を固定した構成とされる。これ以外の構成は、前記実施例等と同様であるから、説明を省略する。
【００７０】
また、装身具１は鞄であってもよい。その場合、たとえば、鞄の手紐として、前記第一片２と前記第二片３とを備える。第一片２は、基端部が鞄本体に固定され、第二片３は、手紐側の端部に固定される。そして、第一片２と第二片３とを着脱可能に接続すればよい。この際も、前記実施例等と同様に、複数形成された係合部４，５の内のどの係合部４，５をかみ合わせるかに応じて、手紐の長さを調整可能とできる。
【００７１】
その他の装身具１にも、本考案を同様に適用可能である。たとえば、アンクレット、ネックレスなどにも適用することができる。
【００７２】
また、前記実施例では、各係合部４，５は各片２，３の幅方向中央部に丸穴６，７を有したが、この丸穴６，７の有無や形状等は適宜に変更可能である。つまり、丸穴６，７は必須ではない。また、丸穴６，７に代えて、その他の形状の中央穴または中央切欠が形成されてもよい。たとえば、丸穴６，７に代えて、楕円形の穴を形成してもよい。また、丸穴６，７に代えて、単なる短い切込み（各片２，３の幅方向中央部を横断する切込み）を形成してもよい。具体的には、丸穴６，７相当分の長さだけ、各片２，３の幅方向中央部に切込み（典型的には各片２，３の幅方向に沿う切込み）が形成され、この切込み２，３と連通して切欠きなどを形成すればよい。
【００７３】
また、前記実施例では、ブレスレットやベルトなどは、一つの帯状材から構成されたが、両端部に第一片２と第二片３とを備えるのであれば、途中に一または複数の第三部材が介されていてもよい。その際、第三部材と第一片２との接続や、第三部材と第二片３との接続も、第一片２と第二片３との接続と同様にして行うこともできる。
【００７４】
さらに、前記実施例において、ブレスレットやベルトなどをリバーシブルで使用可能としてもよい。つまり、表裏反転して装着することで、異なるデザインを楽しめるようにしてもよい。
【符号の説明】
【００７５】
１  装身具
２  第一片
２ａ  （第一片の）先端部
３  第二片
３ａ  （第二片の）先端部
４  （第一片の）係合部
４ａ  （第一片の）第一係合部
４ｂ  （第一片の）第二係合部
４ｃ  （第一片の）第三係合部
４ｄ  （第一片の）第四係合部
４ｅ  （第一片の）第五係合部
５  （第二片の）係合部
５ａ  （第二片の）第一係合部
５ｂ  （第二片の）第二係合部
５ｃ  （第二片の）第三係合部
５ｄ  （第二片の）第四係合部
５ｅ  （第二片の）第五係合部
６  （第一片の）丸穴
６ａ  （第一片の）第一穴
６ｂ  （第一片の）第二穴
６ｃ  （第一片の）第三穴
６ｄ  （第一片の）第四穴
６ｅ  （第一片の）第五穴
７  （第二片の）丸穴
７ａ  （第二片の）第一穴
７ｂ  （第二片の）第二穴
７ｃ  （第二片の）第三穴
７ｄ  （第二片の）第四穴
７ｅ  （第二片の）第五穴
Ｗ１  一端辺
Ｗ２  他端辺
【図１】
0003231797.tif 000003
【図２】
0003231797.tif 000004
【図３】
0003231797.tif 000005
【図４】
0003231797.tif 000006
【図５】
0003231797.tif 000007
【図６】
0003231797.tif 000008
【図７】
0003231797.tif 000009
【図８】
0003231797.tif 000010